【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
機器を連携させることで利用可能となる連携機能の指定を受け付ける受付手段と、
過去に識別された機器から前記連携機能を利用するために必要な前記機器の情報の表示を制御する制御手段と、
を有する情報処理装置。
【請求項２】
前記機器が自装置に識別された場合に、前記機器は、前記機器と前記自装置に識別された他の機器とを含む複数の機器によって実行可能な前記連携機能に利用され、
前記制御手段は、前記複数の機器の組み合わせを示す情報の表示を制御する、
ことを特徴とする請求項１に記載の情報処理装置。
【請求項３】
ユーザを識別する識別手段を更に有し、
前記機器が、前記識別手段によって識別された前記ユーザによって、過去に自装置に接続されて識別されている場合、前記機器は前記連携機能に利用可能である、
ことを特徴とする請求項１に記載の情報処理装置。
【請求項４】
前記機器は、撮影手段によって前記機器の外観を撮影することで識別された機器である、
ことを特徴とする請求項１から請求項３何れかに記載の情報処理装置。
【請求項５】
前記制御手段は、前記機器の情報の表示の制御として、前記機器の外観画像の表示を制御する、
ことを特徴とする請求項１から請求項４何れかに記載の情報処理装置。
【請求項６】
前記制御手段は、前記連携機能を利用するために必要な過去に識別された前記機器を選択して表示を制御する、
ことを特徴とする請求項１から請求項５何れかに記載の情報処理装置。
【請求項７】
前記制御手段は、前記連携機能を利用するために必要な過去に識別された前記機器をユーザに選択させる画面の表示を制御する、
ことを特徴とする請求項１から請求項６何れかに記載の情報処理装置。
【請求項８】
前記制御手段は、前記機器の現在の利用状況を示す情報の表示を更に制御する、
ことを特徴とする請求項１から請求項７何れかに記載の情報処理装置。
【請求項９】
前記制御手段は、前記連携機能の指定を行ったユーザと前記機器との相対的な位置関係を示す情報の表示を更に制御する、
ことを特徴とする請求項１から請求項８何れかに記載の情報処理装置。
【請求項１０】
前記相対的な位置関係は、前記ユーザの位置情報と前記機器の位置情報を取得することにより特定される、
ことを特徴とする請求項９に記載の情報処理装置。
【請求項１１】
前記ユーザの位置情報は、前記機器に予め登録されている情報である、
ことを特徴とする請求項１０に記載の情報処理装置。
【請求項１２】
前記ユーザの位置情報は、自装置に予め登録されている情報である、
ことを特徴とする請求項１０に記載の情報処理装置。
【請求項１３】
前記機器の位置情報は、前記機器に予め登録されている情報である、
ことを特徴とする請求項１０から請求項１２何れかに記載の情報処理装置。
【請求項１４】
前記機器に、前記連携機能の指定を行ったユーザが優先的に利用できるための予約情報を送信する送信手段を更に有する、
ことを特徴とする請求項１から請求項１３何れかに記載の情報処理装置。
【請求項１５】
既に他のユーザが前記予約情報に基づき前記機器を予約している場合、次に前記予約情報を送信したユーザは次に優先的に前記機器を利用できる、
ことを特徴とする請求項１４に記載の情報処理装置。
【請求項１６】
既に予約されている前記機器を割り込んで利用したい場合、前記機器を先に予約しているユーザに割り込み許諾の通知を行う通知手段を更に有する、
ことを特徴とする請求項１４又は請求項１５に記載の情報処理装置。
【請求項１７】
複数のユーザが同一の前記機器を利用したいと要求している場合、前記制御手段は、前記複数のユーザの属性情報に応じて、利用の優先順位を表示させる、
ことを特徴とする請求項１４から請求項１６何れかに記載の情報処理装置。
【請求項１８】
前記制御手段は、前記機器の性能を示す情報の表示を更に制御する、
ことを特徴とする請求項１から請求項１７何れかに記載の情報処理装置。
【請求項１９】
前記制御手段は、ユーザが定めた優先条件に従って情報の表示を制御する、
ことを特徴とする請求項１から請求項１８何れかに記載の情報処理装置。
【請求項２０】
前記優先条件は、前記連携機能の指定を行ったユーザが定めた機器の性能に基づくものである、
ことを特徴とする請求項１９に記載の情報処理装置。
【請求項２１】
前記優先条件は、前記連携機能の指定を行ったユーザとの位置関係に基づくものである、
ことを特徴とする請求項１９に記載の情報処理装置。
【請求項２２】
前記制御手段は、自装置が既に接続している機器に関する情報を除いて、自装置が新規に接続すべき機器に関する情報の表示を制御する、
ことを特徴とする請求項１から請求項２１何れかに記載の情報処理装置。
【請求項２３】
前記機器は、接続手段で接続可能な機器であり、
前記制御手段は、前記接続手段を示す情報の表示を更に制御する、
ことを特徴とする請求項１から請求項２２何れかに記載の情報処理装置。
【請求項２４】
ユーザを識別する識別手段を更に有し、
前記接続手段で接続可能な機器は、前記識別手段で識別されたユーザに応じて異なる、
ことを特徴とする請求項２３に記載の情報処理装置。
【請求項２５】
前記接続手段は、前記機器に設けられた識別情報を示すマーカを撮影することにより識別情報を取得して前記機器に接続する第１手段、前記機器の外観を撮影することにより識別情報を取得して前記機器に接続する第２手段、又は、前記機器が設置されている位置を示す位置情報を用いて前記機器に接続する第３手段、のいずれかである、
ことを特徴とする請求項２３又は請求項２４に記載の情報処理装置。
【請求項２６】
前記制御手段は、前記機器に前記マーカが設けられている場合、前記第１手段を示す情報を表示手段に更に表示させ、前記機器の外観を表わす画像データが前記機器に対応付けられている場合、前記第２手段を示す情報を表示手段に更に表示させ、前記機器に前記位置情報が対応付けられている場合、前記第３手段を表示手段に更に表示させる、
ことを特徴とする請求項２５に記載の情報処理装置。
【請求項２７】
ユーザを識別する識別手段を更に有し、
前記識別手段で識別されたユーザに応じて前記受付手段で受け付ける前記連携機能に制限を掛ける、
ことを特徴とする請求項１から請求項２６何れかに記載の情報処理装置。
【請求項２８】
ユーザが指定した前記連携機能の実行が可能な複数の機器の組み合わせの候補が複数存在する場合、前記制御手段は、前記候補を選択するための情報の表示を制御する、
ことを特徴とする請求項１に記載の情報処理装置。
【請求項２９】
前記制御手段は、ユーザが機器単体で実行可能な機能を要求した場合、機器単体で利用可能な機能の表示を制御し、ユーザが複数の機器を利用して実行可能な前記連携機能を要求した場合、前記連携機能の表示を制御する、
ことを特徴とする請求項１から請求項２８何れかに記載の情報処理装置。
【請求項３０】
前記制御手段は、更に、前記連携機能の実行の結果を示す情報の通知を制御する、
ことを特徴とする請求項１から請求項２９何れかに記載の情報処理装置。
【請求項３１】
前記受付手段は、音声によって前記指定を受け付ける、
ことを特徴とする請求項１から請求項３０何れかに記載の情報処理装置。
【請求項３２】
コンピュータを、
機器を連携させることで利用可能となる連携機能の指定を受け付ける受付手段、
過去に識別された機器から前記連携機能を利用するために必要な前記機器の情報の表示を制御する制御手段、
として機能させるプログラム。
【手続補正２】
【補正対象書類名】明細書
【補正対象項目名】０００８
【補正方法】変更
【補正の内容】
【０００８】
請求項２に係る発明は、前記機器が自装置に識別された場合に、前記機器は、前記機器と前記自装置に識別された他の機器とを含む複数の機器によって実行可能な前記連携機能に利用され、前記制御手段は、前記複数の機器の組み合わせを示す情報の表示を制御する、ことを特徴とする請求項１に記載の情報処理装置である。
請求項３に係る発明は、ユーザを識別する識別手段を更に有し、前記機器が、前記識別手段によって識別された前記ユーザによって、過去に自装置に接続されて識別されている場合、前記機器は前記連携機能に利用可能である、ことを特徴とする請求項１に記載の情報処理装置である。
請求項４に係る発明は、前記機器は、撮影手段によって前記機器の外観を撮影することで識別された機器である、ことを特徴とする請求項１から請求項３何れかに記載の情報処理装置である。
【手続補正３】
【補正対象書類名】明細書
【補正対象項目名】０００９
【補正方法】変更
【補正の内容】
【０００９】
請求項５に係る発明は、前記制御手段は、前記機器の情報の表示の制御として、前記機器の外観画像の表示を制御する、ことを特徴とする請求項１から請求項４何れかに記載の情報処理装置である。
【手続補正４】
【補正対象書類名】明細書
【補正対象項目名】００１０
【補正方法】変更
【補正の内容】
【００１０】
請求項６に係る発明は、前記制御手段は、前記連携機能を利用するために必要な過去に識別された前記機器を選択して表示を制御する、ことを特徴とする請求項１から請求項５何れかに記載の情報処理装置である。
【手続補正５】
【補正対象書類名】明細書
【補正対象項目名】００１１
【補正方法】変更
【補正の内容】
【００１１】
請求項７に係る発明は、前記制御手段は、前記連携機能を利用するために必要な過去に識別された前記機器をユーザに選択させる画面の表示を制御する、ことを特徴とする請求項１から請求項６何れかに記載の情報処理装置である。
【手続補正６】
【補正対象書類名】明細書
【補正対象項目名】００１２
【補正方法】変更
【補正の内容】
【００１２】
請求項８に係る発明は、前記制御手段は、前記機器の現在の利用状況を示す情報の表示を更に制御する、ことを特徴とする請求項１から請求項７何れかに記載の情報処理装置である。
【手続補正７】
【補正対象書類名】明細書
【補正対象項目名】００１３
【補正方法】変更
【補正の内容】
【００１３】
請求項９に係る発明は、前記制御手段は、前記連携機能の指定を行ったユーザと前記機器との相対的な位置関係を示す情報の表示を更に制御する、ことを特徴とする請求項１から請求項８何れかに記載の情報処理装置である。
【手続補正８】
【補正対象書類名】明細書
【補正対象項目名】００１４
【補正方法】変更
【補正の内容】
【００１４】
請求項１０に係る発明は、前記相対的な位置関係は、前記ユーザの位置情報と前記機器の位置情報を取得することにより特定される、ことを特徴とする請求項９に記載の情報処理装置である。
【手続補正９】
【補正対象書類名】明細書
【補正対象項目名】００１５
【補正方法】変更
【補正の内容】
【００１５】
請求項１１に係る発明は、前記ユーザの位置情報は、前記機器に予め登録されている情報である、ことを特徴とする請求項１０に記載の情報処理装置である。
【手続補正１０】
【補正対象書類名】明細書
【補正対象項目名】００１６
【補正方法】変更
【補正の内容】
【００１６】
請求項１２に係る発明は、前記ユーザの位置情報は、自装置に予め登録されている情報である、ことを特徴とする請求項１０に記載の情報処理装置である。
【手続補正１１】
【補正対象書類名】明細書
【補正対象項目名】００１７
【補正方法】変更
【補正の内容】
【００１７】
請求項１３に係る発明は、前記機器の位置情報は、前記機器に予め登録されている情報である、ことを特徴とする請求項１０から請求項１２何れかに記載の情報処理装置である。
【手続補正１２】
【補正対象書類名】明細書
【補正対象項目名】００１８
【補正方法】変更
【補正の内容】
【００１８】
請求項１４に係る発明は、前記機器に、前記連携機能の指定を行ったユーザが優先的に利用できるための予約情報を送信する送信手段を更に有する、ことを特徴とする請求項１から請求項１３何れかに記載の情報処理装置である。
【手続補正１３】
【補正対象書類名】明細書
【補正対象項目名】００１９
【補正方法】変更
【補正の内容】
【００１９】
請求項１５に係る発明は、既に他のユーザが前記予約情報に基づき前記機器を予約している場合、次に前記予約情報を送信したユーザは次に優先的に前記機器を利用できる、ことを特徴とする請求項１４に記載の情報処理装置である。
【手続補正１４】
【補正対象書類名】明細書
【補正対象項目名】００２０
【補正方法】変更
【補正の内容】
【００２０】
請求項１６に係る発明は、既に予約されている前記機器を割り込んで利用したい場合、前記機器を先に予約しているユーザに割り込み許諾の通知を行う通知手段を更に有する、ことを特徴とする請求項１４又は請求項１５に記載の情報処理装置である。
【手続補正１５】
【補正対象書類名】明細書
【補正対象項目名】００２１
【補正方法】変更
【補正の内容】
【００２１】
請求項１７に係る発明は、複数のユーザが同一の前記機器を利用したいと要求している場合、前記制御手段は、前記複数のユーザの属性情報に応じて、利用の優先順位を表示させる、ことを特徴とする請求項１４から請求項１６何れかに記載の情報処理装置である。
【手続補正１６】
【補正対象書類名】明細書
【補正対象項目名】００２２
【補正方法】変更
【補正の内容】
【００２２】
請求項１８に係る発明は、前記制御手段は、前記機器の性能を示す情報の表示を更に制御する、ことを特徴とする請求項１から請求項１７何れかに記載の情報処理装置である。
【手続補正１７】
【補正対象書類名】明細書
【補正対象項目名】００２３
【補正方法】変更
【補正の内容】
【００２３】
請求項１９に係る発明は、前記制御手段は、ユーザが定めた優先条件に従って情報の表示を制御する、ことを特徴とする請求項１から請求項１８何れかに記載の情報処理装置である。
【手続補正１８】
【補正対象書類名】明細書
【補正対象項目名】００２４
【補正方法】変更
【補正の内容】
【００２４】
請求項２０に係る発明は、前記優先条件は、前記連携機能の指定を行ったユーザが定めた機器の性能に基づくものである、ことを特徴とする請求項１９に記載の情報処理装置である。
【手続補正１９】
【補正対象書類名】明細書
【補正対象項目名】００２５
【補正方法】変更
【補正の内容】
【００２５】
請求項２１に係る発明は、前記優先条件は、前記連携機能の指定を行ったユーザとの位置関係に基づくものである、ことを特徴とする請求項１９に記載の情報処理装置である。
【手続補正２０】
【補正対象書類名】明細書
【補正対象項目名】００２６
【補正方法】変更
【補正の内容】
【００２６】
請求項２２に係る発明は、前記制御手段は、自装置が既に接続している機器に関する情報を除いて、自装置が新規に接続すべき機器に関する情報の表示を制御する、ことを特徴とする請求項１から請求項２１何れかに記載の情報処理装置である。
【手続補正２１】
【補正対象書類名】明細書
【補正対象項目名】００２７
【補正方法】変更
【補正の内容】
【００２７】
請求項２３に係る発明は、前記機器は、接続手段で接続可能な機器であり、前記制御手段は、前記接続手段を示す情報の表示を更に制御する、ことを特徴とする請求項１から請求項２２何れかに記載の情報処理装置である。
【手続補正２２】
【補正対象書類名】明細書
【補正対象項目名】００２８
【補正方法】変更
【補正の内容】
【００２８】
請求項２４に係る発明は、ユーザを識別する識別手段を更に有し、前記接続手段で接続可能な機器は、前記識別手段で識別されたユーザに応じて異なる、ことを特徴とする請求項２３に記載の情報処理装置である。
【手続補正２３】
【補正対象書類名】明細書
【補正対象項目名】００２９
【補正方法】変更
【補正の内容】
【００２９】
請求項２５に係る発明は、前記接続手段は、前記機器に設けられた識別情報を示すマーカを撮影することにより識別情報を取得して前記機器に接続する第１手段、前記機器の外観を撮影することにより識別情報を取得して前記機器に接続する第２手段、又は、前記機器が設置されている位置を示す位置情報を用いて前記機器に接続する第３手段、のいずれかである、ことを特徴とする請求項２３又は請求項２４に記載の情報処理装置である。
【手続補正２４】
【補正対象書類名】明細書
【補正対象項目名】００３０
【補正方法】変更
【補正の内容】
【００３０】
請求項２６に係る発明は、前記制御手段は、前記機器に前記マーカが設けられている場合、前記第１手段を示す情報を表示手段に更に表示させ、前記機器の外観を表わす画像データが前記機器に対応付けられている場合、前記第２手段を示す情報を表示手段に更に表示させ、前記機器に前記位置情報が対応付けられている場合、前記第３手段を表示手段に更に表示させる、ことを特徴とする請求項２５に記載の情報処理装置である。
【手続補正２５】
【補正対象書類名】明細書
【補正対象項目名】００３１
【補正方法】変更
【補正の内容】
【００３１】
請求項２７に係る発明は、ユーザを識別する識別手段を更に有し、前記識別手段で識別されたユーザに応じて前記受付手段で受け付ける前記連携機能に制限を掛ける、ことを特徴とする請求項１から請求項２６何れかに記載の情報処理装置である。
【手続補正２６】
【補正対象書類名】明細書
【補正対象項目名】００３２
【補正方法】変更
【補正の内容】
【００３２】
請求項２８に係る発明は、ユーザが指定した前記連携機能の実行が可能な複数の機器の組み合わせの候補が複数存在する場合、前記制御手段は、前記候補を選択するための情報の表示を制御する、ことを特徴とする請求項１に記載の情報処理装置である。
請求項２９に係る発明は、前記制御手段は、ユーザが機器単体で実行可能な機能を要求した場合、機器単体で利用可能な機能の表示を制御し、ユーザが複数の機器を利用して実行可能な前記連携機能を要求した場合、前記連携機能の表示を制御する、ことを特徴とする請求項１から請求項２８何れかに記載の情報処理装置である。
請求項３０に係る発明は、前記制御手段は、更に、前記連携機能の実行の結果を示す情報の通知を制御する、ことを特徴とする請求項１から請求項２９何れかに記載の情報処理装置である。
請求項３１に係る発明は、前記受付手段は、音声によって前記指定を受け付ける、ことを特徴とする請求項１から請求項３０何れかに記載の情報処理装置である。
請求項３２に係る発明は、コンピュータを、機器を連携させることで利用可能となる連携機能の指定を受け付ける受付手段、過去に識別された機器から前記連携機能を利用するために必要な前記機器の情報の表示を制御する制御手段、として機能させるプログラムである。
【手続補正２７】
【補正対象書類名】明細書
【補正対象項目名】００３３
【補正方法】変更
【補正の内容】
【００３３】
請求項１−７，２８，３２に係る発明によると、どの機器を利用した場合に連携機能が実行可能であるのかユーザに分かるような情報が提供される。
【手続補正２８】
【補正対象書類名】明細書
【補正対象項目名】００３４
【補正方法】変更
【補正の内容】
【００３４】
請求項８に係る発明によると、機器の利用可能なタイミングがユーザに分かるような情報が提供される。
【手続補正２９】
【補正対象書類名】明細書
【補正対象項目名】００３５
【補正方法】変更
【補正の内容】
【００３５】
請求項９−１３に係る発明によると、機器までの移動距離がユーザに分かるような情報が提供される。
【手続補正３０】
【補正対象書類名】明細書
【補正対象項目名】００３６
【補正方法】変更
【補正の内容】
【００３６】
請求項１４，１５に係る発明によると、次の利用を確保することが可能となる。
【手続補正３１】
【補正対象書類名】明細書
【補正対象項目名】００３７
【補正方法】変更
【補正の内容】
【００３７】
請求項１６に係る発明によると、急ぎで利用したい場合に対処することが可能となる。
【手続補正３２】
【補正対象書類名】明細書
【補正対象項目名】００３８
【補正方法】変更
【補正の内容】
【００３８】
請求項１７に係る発明によると、利用の順位を示す情報がユーザに提供される。
【手続補正３３】
【補正対象書類名】明細書
【補正対象項目名】００３９
【補正方法】変更
【補正の内容】
【００３９】
請求項１８に係る発明によると、性能に関する情報が提供されない場合と比べて、利用対象の機能により適した機器の選択が可能となる。
【手続補正３４】
【補正対象書類名】明細書
【補正対象項目名】００４０
【補正方法】変更
【補正の内容】
【００４０】
請求項１９に係る発明によると、ユーザが重視する条件に従って機器に関する情報が表示される。
【手続補正３５】
【補正対象書類名】明細書
【補正対象項目名】００４１
【補正方法】変更
【補正の内容】
【００４１】
請求項２０に係る発明によると、ユーザが重視する性能に従って機器に関する情報が表示される。
【手続補正３６】
【補正対象書類名】明細書
【補正対象項目名】００４２
【補正方法】変更
【補正の内容】
【００４２】
請求項２１に係る発明によると、ユーザとの位置関係に従って機器に関する情報が表示される。
【手続補正３７】
【補正対象書類名】明細書
【補正対象項目名】００４３
【補正方法】変更
【補正の内容】
【００４３】
請求項２２に係る発明によると、接続が完了している機器に関する情報をも表示する場合と比べて、利用対象の機器が接続作業の必要な機器であるか否かの判断が容易になる。
【手続補正３８】
【補正対象書類名】明細書
【補正対象項目名】００４４
【補正方法】変更
【補正の内容】
【００４４】
請求項２３−２６に係る発明によると、接続すべき機器にどのような手段によって接続できるのかユーザに分かる情報が提供される。
【手続補正３９】
【補正対象書類名】明細書
【補正対象項目名】００４５
【補正方法】変更
【補正の内容】
【００４５】
請求項２７に係る発明によると、セキュリティを向上させることが可能となる。
請求項２９に係る発明によると、機器単体で実行可能な機能と連携機能とを使い分けることができる。
請求項３０に係る発明によると、連携機能の実行の結果がユーザに提供される。
請求項３１に係る発明によると、音声による連携機能の指定が可能となる。